(57)【要約】【課題】使用者が前回の洗濯の仕上がり等を受けて、好みの運転態様を設定しやすい洗濯機を提供すること。【解決手段】本実施形態の洗濯機は、表示画面と、複数の運転コースから運転コースを選択するためのコース選択手段と、表示画面に表示させた質問項目への回答入力から運転態様の変更条件を決定する変更条件決定手段と、変更条件決定手段により決定した変更条件を記憶する記憶手段と、記憶手段に記憶させた変更条件と選択した運転コースとをもとに運転態様を設定する運転態様設定部と、運転態様設定部で設定した運転態様から洗濯機の運転を制御する制御装置とを備え、変更条件決定手段は運転終了後に表示させた質問項目への回答入力から運転態様の変更条件を決定する。【選択図】図４
2014158606.tif 000002
【特許請求の範囲】
【請求項１】
表示画面と、
複数の運転コースから運転コースを選択するためのコース選択手段と、
前記表示画面に表示させた質問項目への回答入力から運転態様の変更条件を決定する変更条件決定手段と、
前記変更条件決定手段により決定した変更条件を記憶する記憶手段と、
前記記憶手段に記憶させた変更条件と選択した運転コースとをもとに運転態様を設定する運転態様設定部と、
前記運転態様設定部で設定した運転態様から洗濯機の運転を制御する制御装置とを備え、
前記変更条件決定手段は運転終了後に表示させた質問項目への回答入力から運転態様の変更条件を決定する洗濯機。
【請求項２】
洗濯機のドアの開閉検知手段を備え、前記開閉検知手段が運転終了後に最初にドアが開状態となったことを検知した場合に、前記表示画面に運転結果についての質問項目を表示する請求項１に記載の洗濯機。
【請求項３】
洗濯機のドアの開閉検知手段を備え、前記開閉検知手段が運転終了後に最初にドアが開状態から閉状態となったことを検知した場合に、前記表示画面に運転結果についての質問項目を表示する請求項１に記載の洗濯機。
【請求項４】
運転終了を報知する報知手段を備え、前記報知手段により運転終了を報知したときに、前記表示画面に運転結果についての質問項目を表示する請求項１に記載の洗濯機。
【請求項５】
洗濯槽内の洗濯物の量を検知する洗濯物検知手段を備え、前記洗濯物検知手段が運転終了後に最初に洗濯槽内の洗濯物の量が減少したことを検知した場合に、前記表示画面に質問項目を表示する請求項１に記載の洗濯機。
【発明の詳細な説明】
【技術分野】
【０００１】
本発明の実施形態は、洗濯機に関する。
【背景技術】
【０００２】
洗濯機、例えば乾燥機能を備えた洗濯乾燥機の運転態様の設定は、運転を開始するにあたって、洗濯乾燥機に予め備えられた各種洗濯コース並びに乾燥コースから好みのものを使用者自身に選択させる。あるいは、質問形式で使用者の回答に基づいて最適な運転態様を自動で設定する構成が知られている。この場合、使用者は前回までの運転結果の記憶を頼りに、好みの運転態様に最も近い運転態様を決定する。しかしながら、前回までの運転の結果を使用者が正確に記憶し、運転態様の設定に反映させることは困難であり、使用者が最適な運転態様を設定しづらかった。
【先行技術文献】
【特許文献】
【０００３】
【特許文献１】特開２００３−４７７９６号公報
【発明の概要】
【発明が解決しようとする課題】
【０００４】
そこで、使用者が前回の洗濯の仕上がり等を受けて、好みの運転態様を設定しやすい洗濯機を提供する。
【課題を解決するための手段】
【０００５】
本実施形態の洗濯機は、表示画面と、複数の運転コースから運転コースを選択するためのコース選択手段と、表示画面に表示させた質問項目への回答入力から運転態様の変更条件を決定する変更条件決定手段と、変更条件決定手段により決定した変更条件を記憶する記憶手段と、記憶手段に記憶させた変更条件と選択した運転コースとをもとに運転態様を設定する運転態様設定部と、運転態様設定部で設定した運転態様から洗濯機の運転を制御する制御装置とを備え、変更条件決定手段は運転終了後に表示させた質問項目への回答入力から運転態様の変更条件を決定する。
【図面の簡単な説明】
【０００６】
【図１】第一の実施形態による洗濯乾燥機の全体構成を示す破断側面図である。
【図２】電気的構成を示すブロック図である。
【図３】質問１での表示画面を示す表示図である。
【図４】質問２での表示画面を示す表示図である。
【図５】質問３ａでの表示画面を示す表示図である。
【図６】質問３ｂでの表示画面を示す表示図である。
【図７】質問３ｃでの表示画面を示す表示図である。
【図８】質問３ｄでの表示画面を示す表示図である。
【図９】第二の実施形態による質問４での表示画面を示す表示図である。
【図１０】質問５での表示画面を示す表示図である。
【図１１】質問６での表示画面を示す表示図である。
【図１２】質問７での表示画面を示す表示図である。
【図１３】第四の実施形態による図２相当図である。
【発明を実施するための形態】
【０００７】
以下、複数の実施形態につき図面を参照しながら説明する。
（第一の実施形態）
まず、第一の実施形態について図１から図８を参照して説明する。図１は本実施形態の洗濯乾燥機の全体構成を示す破断側面図であり、外箱１の内部に外槽２を配設している。外箱１は、前面部に洗濯物出入口３を有する矩形箱状のもので、その洗濯物出入口３をドア４により開閉するようにしている。
【０００８】
これに対して、外槽２は、前面部に洗濯物通口５を有するドラム状のもので、その洗濯物通口５をベローズ６により外箱１の洗濯物出入口３と接続している。又、外槽２は、外箱１の底面から立設した複数組（１組のみ図示）のサスペンション７により、横軸状で、且つ前上がり（図中左上がり）の傾斜状に弾性支持している。
【０００９】
更に、外槽２の底部には貯水部８を設けており、この貯水部８の最低部である最後部に排水弁９を接続し、この排水弁９に排水ホース１０に接続している。又、貯水部８には、洗濯水加熱用のヒータ１１を配設している。
【００１０】
外槽２の内部には、内槽１２を回転可能に配設している。この内槽１２も、前面部に洗濯物通口１３を有するドラム状のもので、その周側壁には、洗濯物撹拌用のバッフル１４を複数（図示は１つのみ）設けると共に、脱水用の通水孔であり乾燥用の通気孔でもある通孔１５をほぼ全面にわたり多数形成している（図示は一部のみ）。
【００１１】
外槽２の背部にはモータ１６を取付けている。このモータ１６はアウターロータ形で、そのロータ１６ａと一体に回転する回転軸１６ｂを外槽２内に挿入し、その先端部に内槽１２を取付けている。この結果、内槽１２はモータ１６により回転駆動されるようになっている。又、内槽１２は外槽２と同軸状（横軸状で且つ前上がりの傾斜状）に支持されている。
【００１２】
外槽２外の背部から上部にかけては、温風供給装置１７を配設している。この温風供給装置１７は、この場合、外槽２外の背部に除湿機１８を配設し、上部に送風機１９と加熱器２０とを配設して成るもので、それらをダクト２１、２２により一つの通路状に連ね、更に、その入口部１７ａを外槽２の背部の最下部から外槽２内に連通させ、出口部１７ｂを外槽２の上部の最前部から外槽２内に連通させている。
【００１３】
ここで、詳細には、除湿機１８には、その上方に配設した注水弁２３から注水チューブ２４を通じて内部の散水器２５に水が供給され、その水を散水器２５が矢印Ａで示すように放散して落下させるようになっている。
【００１４】
又、送風機１９は、羽根車１９ａの回転により、矢印Ｂで示すように、内槽１２内の空気を外槽２内を通じて入口部１７ａから除湿機１８内に吸入し、そして、その除湿機１８内から送風機１９を経て加熱器２０を通し、出口部１７ｂから外槽２内を通じて内槽１２内に戻すようになっている。
【００１５】
その過程で、除湿機１８内では、ここを通る内槽１２内の空気を、前記散水器２５から放散された水により冷却して除湿するようになっている。又、加熱器２０では、ここを通る除湿後の空気をヒータ２０ａが熱して温風化するようになっており、かくして、内槽１２内に温風を供給するようになっている。
【００１６】
このほか、図１には、モータ１６に対して設けた回転センサ２６を示しており、この回転センサ２６はロータ１６ａの回転ひいては内槽１２の回転を検知するようになっている。
【００１７】
更に、図１には、外槽２内に注水するための注水ケース２７、注水ケース２７を通じて外槽２内にもっぱら風呂の残り湯を供給する給水ポンプ２８を示しており、そのほか、外箱１の前上部に内設した例えばマイクロコンピュータから成る制御手段である制御装置２９を示している。
【００１８】
制御装置２９には、図２に示すように、運転コースを選択するためのコース選択手段２９ａと、運転コースの運転態様に変更を加えるための変更条件を決定する変更条件決定手段２９ｂと、変更条件を記憶する記憶手段２９ｃと、運転コースの運転態様と変更条件とに基づいて新たな運転態様を設定する運転態様設定部２９ｄが備えられる。
【００１９】
一方、外箱１の前上部には表示画面としての機能を有するタッチパネル式の操作表示部３０を設ける。この操作表示部３０は、画像を表示する液晶ディスプレイの上面に透明電極で構成された抵抗膜方式のタッチパネルが設けられており、表示された状態の文字やパターンなどの表示部分を指で触れることにより、所望の条件のものを選択設定することができるように設定されている。
【００２０】
図２は電気的構成を示すブロック図である。操作表示部３０の操作スイッチ３１と、外槽２内の水位を検知するように設けた水位センサ３３、ドア４の開閉検知手段であるドアスイッチ３４、及び前記回転センサ２６を示しており、これらのスイッチ信号又は検知信号を制御装置２９に入力するようにしている。
【００２１】
そして、それらの入力並びにあらかじめ記憶された制御プログラムに基づいて、制御装置２９は、操作表示部３０と報知手段３８を制御すると共に、外槽２内に給水するように設けた給水弁３５と、排水弁９、注水弁２３、モータ１６、ヒータ１１、ヒータ２０ａ、送風機１９、及びドア４をロック（閉鎖拘束）するように設けたドアロック装置３６を、駆動回路３７を介して制御するようになっている。報知手段３８は、例えばブザーである。報知手段３８としては、ブザーに限られず、音声により報知するものでもよい。
【００２２】
次に上記構成の作用を述べる。
まず、使用者が、内槽１２内に洗濯物を入れてドア４を閉じると共に、洗剤をセットし、電源を投入して、洗濯運転のコース設定、乾燥運転のコース設定を含む運転設定を行う。ここで、コース選択手段２９ａにより、使用者は洗濯乾燥機に予め備えられた複数のコース（例えば標準コース、節水コースなど）から、洗濯コースと乾燥コースをそれぞれ選択する。あるいは、洗いやすすぎなどの各項目について使用者が自ら好みの設定を行うことで、コースを選択することもできる。その後、運転を開始させることで、制御装置２９が作動を開始して、最初にドアロック装置３６を作動させることにより、ドア４のロックをする。
【００２３】
次に、洗濯物の量を検知する。この洗濯物量の検知は、例えばモータ１６を所定の入力で起動させた後に、それを終了し、そのときの回転センサ２６の検知結果を読み込むことにより行うもので、モータ１６を起動させれば、内槽１２が回転され、起動を終了すれば、内槽１２が惰性回転する。その各回転は、内槽１２に収容した洗濯物の量が多いほど、回転の負荷が大きくなることにより、少ない回転数となって回転センサで検知されるため、その検知結果から洗濯物の量が検知される。
【００２４】
なお、使用者が運転開始の前にコースを選択しなかった場合には、この洗濯物量の検知結果から最適なコースを自動で選択することになる。
その後、制御装置２９に備えた記憶手段２９ｃから、記憶させた変更条件を読み出し、コース選択手段２９ａを用いて選択された洗濯コース並びに乾燥コースについて、運転態様設定部２９ｄにより変更を加え、実際に運転を行うための運転態様を設定する。
【００２５】
運転態様が確定した後、給水弁３５を開放させることにより、外槽２内への給水を開始する。その後、内槽１２を回転させることにより洗いを実行し、次いで排水した後に、再度給水した上で、内槽１２を回転させることによりすすぎを実行する。そして、排水した後に、内槽１２を高速回転させることにより脱水を実行し、その後に、内槽１２を回転させると共に、内槽１２内に温風供給装置１７により温風を供給することにより、乾燥を実行し、乾燥運転の終了をもって、洗濯乾燥機の運転を終了する。
【００２６】
運転終了後、報知手段３８により運転の終了を報知し、所定時間操作表示部３０に、後述する質問項目を含む表示画面を表示する。この操作表示部３０に表示した質問に対する回答の結果から、変更条件決定手段２９ｂにより変更条件を決定した後、記憶手段２９ｃに変更条件を記憶させ、洗濯乾燥機の電源をオフにする。
【００２７】
続いて、操作表示部３０について説明する。図３にあるように、「仕上がりに満足いただけましたか？」という質問項目と「１はい」、「２いいえ」という回答画面を操作表示部３０の上下にそれぞれ表示する。使用者は表示された質問項目に回答ボタンの操作によって回答することで、洗濯及び乾燥運転の各工程における重視項目を選択する。
【００２８】
次に、洗濯乾燥機の運転態様の変更に用いる変更条件を設定するための操作の流れを説明する。運転終了後、所定時間（例えば３０分間）、洗濯乾燥機の運転結果について使用者が満足したかどうかの質問である質問１を行うため、操作表示部３０に図３に示すような、仕上がりについて満足しているかどうかを質問し、同時に回答をさせる画面を表示させる。この質問１に対して使用者が「１はい」と回答した場合、すなわち運転結果に満足している場合には操作表示部３０の表示を終了し、記憶手段２９ｃに記憶させた変更条件を保持する。逆に、質問１に対して使用者が「２いいえ」と回答した場合、すなわち運転結果に不満がある場合には、次の質問項目である質問２を表示する。
【００２９】
図４に示すように、質問２としては「どの工程に不満がありましたか？」という質問項目と、この質問に対する回答項目である「洗い」、「すすぎ」、「脱水」、「乾燥」、「不満なし」の回答ボタンとを上下に並べて表示する。これにより、使用者が不満を感じた運転が洗い、すすぎ、脱水、乾燥のうちのどの工程であるかを質問し、選択させる。以下に、使用者が質問２に対して、選択した回答ボタンに対するそれぞれの表示画面について説明する。
【００３０】
図４に示す質問２において「洗い」を回答した場合、図５に示すように質問３ａを操作表示部３０に表示し、洗い運転について、時間を多くかけてもきれいな仕上がりを目指す洗い性能重視か、仕上がりよりも洗い時間を短くすることを重視する時短重視かを質問する。回答画面としては、洗い性能を重視する「１」、やや洗い性能を重視する「２」、やや時短を重視する「３」、時短を重視する「４」の合計４つの回答ボタンを有する回答画面を表示し、４段階のうち最も使用者の意向に近い番号を選択させる。この質問に対する回答が得られた後、操作表示部３０には再び質問２が表示され、さらに使用者が不満に思う工程についての設定を継続して行うことができる。
【００３１】
図４に示す質問２において「すすぎ」を回答した場合、図６に示すように質問３ｂを操作表示部３０に表示し、すすぎについて、時間をかけても十分なすすぎを行うすすぎ性能重視か、すすぎ回数を減らしてでもすすぎ時間を短くする時短重視かを質問する。回答画面としては、すすぎ性能を重視する「１」、ややすすぎ性能を重視する「２」、やや時短を重視する「３」、時短を重視する「４」の合計４つの回答ボタンを有する回答画面を表示し、４段階のうち最も使用者の意向に近い番号を選択させる。この質問に対する回答が得られた後、操作表示部３０には再び質問２が表示され、さらに使用者が不満に思う工程についての設定を継続して行うことができる。
【００３２】
図４に示す質問２において「脱水」を回答した場合、図７に示すように質問３ｃを操作表示部３０に表示し、脱水について、時間をかけても静かな脱水を行う静音重視か、静音性よりも脱水時間を短くすることを重視する時短重視かを質問する。回答画面としては、静音を重視する「１」、やや静音を重視する「２」、やや時短を重視する「３」、時短を重視する「４」の合計４つの回答ボタンを有する回答画面を表示し、４段階のうち最も使用者の意向に近い番号を選択させる。この質問に対する回答が得られた後、操作表示部３０には再び質問２が表示され、さらに使用者が不満に思う工程についての設定を継続して行うことができる。
【００３３】
図４に示す質問２において「乾燥」を回答した場合、図８に示すように質問３ｄを操作表示部３０に表示し、乾燥について、ヒータを低温に設定し、洗濯物の縮みの少ない乾燥を行う縮み低減乾燥か、乾燥時間を短くする時短重視かを質問する。回答画面としては、縮み低減を重視する「１」、縮み低減をやや重視する「２」、乾燥時間をやや短くする「３」、乾燥時間を短くする「４」の合計４つの回答ボタンを有する回答画面を表示し、４段階のうち最も使用者の意向に近い番号を選択させる。この質問に対する回答が得られた後、操作表示部３０には再び質問２が表示され、さらに使用者が不満に思う工程についての設定を継続して行うことができる。
【００３４】
操作表示部３０に図４に示す質問２が表示された状態で、使用者が「不満なし」を選択することで操作表示部３０の表示を終了する。
その後、使用者による回答結果に基づき、洗い、すすぎ、脱水、乾燥の各工程について必要な変更を行う。各質問に対するそれぞれの回答について、どのように運転態様を変更するかを示す変更条件は、変更条件決定手段２９ｂにより決定され、その変更条件の具体的な内容は以下に示す通りである。
【００３５】
図５に示す質問３ａに対する回答が「１」の場合、使用者が選択した洗濯コースに設定されている洗い時間から洗い時間を２０％増加させ、回答が「２」の場合、洗い時間を１０％増加させる。回答が「３」の場合には洗い時間を１０％減少させ、回答が「４」の場合には洗い時間を２０％減少させる。
【００３６】
図６に示す質問３ｂに対する回答が「１」の場合、使用者が選択した洗濯コースに設定されているすすぎ回数からすすぎ回数を２回増加させ、回答が「２」の場合、すすぎ回数を１回増加させる。回答が３の場合にはすすぎ回数を１回減少させ、回答が「４」の場合には２回減少させる。
【００３７】
図７に示す質問３ｃに対する回答が「１」の場合、使用者が選択した洗濯コースに設定されている脱水回転数から脱水回転数を２００ｒｐｍ減少させ、且つ、使用者が選択した洗濯コースに設定されている脱水時間から脱水時間を２０％増加させる。回答が「２」の場合、脱水回転数を１００ｒｐｍ減少させ、且つ、脱水時間を１０％増加させる。回答が「３」の場合には、脱水回転数を１００ｒｐｍ増加させ、且つ、脱水時間を１０％減少させる。回答が「４」の場合には、脱水回転数を２００ｒｐｍ増加させ、且つ、脱水時間を２０％減少させる。
【００３８】
図８に示す質問３ｄに対する回答が「１」の場合には、使用者が選択した乾燥コースに設定されている乾燥時間から乾燥時間を２０％増加させ、且つ、ヒータ２０ａの出力を２０％減少させる。回答が「２」の場合、乾燥時間を１０％増加させ、且つ、ヒータ２０ａの出力を１０％減少させる。回答が「３」の場合には、乾燥時間を１０％減少させ、且つ、ヒータ２０ａの出力を１０％増加させる。回答が「４」の場合には乾燥時間を２０％減少させ、且つ、ヒータ２０ａの出力を２０％増加させる。
【００３９】
なお、上述した変更条件はあくまで一例であり、運転結果についての質問の回答に応じた変更条件は適宜変更してもよい。
設定された変更条件に基づいて運転態様の変更を行うよう、記憶手段２９ｃに変更条件を記憶させる。運転態様設定部２９ｄにおいては、次回以降の運転時に選択された洗濯コースや乾燥コースに、この変更条件に基づく変更を加えて運転態様を設定した上で運転を行う。すなわち、洗い時間を１０％増加させるという変更条件がある場合には、予め設定されている洗濯コースにおける洗い時間から洗い時間を１０％増加させて運転することとなる。
【００４０】
記憶手段２９ｃにすでに前回の変更条件がある場合には、前回の変更条件に今回の変更条件を加えることで新たな変更条件とし、新たな変更条件に基づく変更を加えて、次回以降の運転を行う。すなわち、前回の変更条件として洗い時間を１０％増加するという変更が存在し、今回の変更条件として洗い時間を１０％増加するという変更が存在する場合には、新たな変更条件として洗い時間を２０％増加させるという変更となり、次回以降の洗濯コースにおける洗い時間から洗い時間を２０％増加させて運転することとなる。
【００４１】
なお、運転態様設定部２９ｄは、すすぎ回数が０回となるなど、洗濯乾燥機としての機能に著しく不備が生じる運転態様には設定せず、予め設定された許容可能な範囲内でのみ変更が有効となる。この時、許容範囲からはずれた変更については、許容範囲内で最も近い値に設定して運転を行うように運転態様が設定される。
【００４２】
運転結果についての質問項目の表示後、使用者による操作のない状態で所定時間が経過した場合には、操作表示部３０から表示が消え、洗濯乾燥機は待機状態となる。
運転態様の設定は、一度最適化された場合には基本的にそれ以降は変更条件を変える必要がない。したがって質問項目の表示は、使用者が運転結果に満足したかどうかを尋ねる図３に示す質問１に対して、使用者が「１はい」すなわち満足したと回答した場合には、次回以降の表示を行わないように設定する。あるいは、洗濯乾燥機の運転回数が所定回数（例えば５回）を迎えるまでは運転終了後に表示を行い、所定回数を越えた場合に表示を行わないように設定してもよい。
【００４３】
ただし、いずれの場合であっても、運転終了後に質問項目を表示するよう設定を改めてやり直したい場合には、質問項目の表示を行わないように設定された状態で、洗濯乾燥機に備えた操作ボタンを操作することで、質問項目を表示させるように変更が可能である。
【００４４】
上述した実施形態によると、次のような作用効果を得ることができる。
洗濯乾燥機の運転終了後、報知手段３８による報知から所定時間にわたって、運転結果についての質問項目を表示することで、使用者が洗濯の仕上がり等を確認した上で、速やかに次回以降の運転態様についての変更を行うことができるため、使用者の好みにより近い変更を行うことができる。
【００４５】
洗濯乾燥機に予め備えられた各種洗濯コース、乾燥コース並びに洗濯乾燥コースについて、操作表示部３０に表示される質問項目への回答により、使用者の好みに近い運転態様に変更を加えることができるため、予め備えられ、限られた数の各種運転コースであっても使用者の幅広い好みに対応することができる。
【００４６】
操作表示部３０をタッチパネル式の画面とすることで、多種多様な質問項目並びに回答画面を表示させることができ、洗濯乾燥機に回答用のボタンを複数配設する必要がないため、洗濯乾燥機の製造性が向上する。また、使用者が複数あるボタンについて、複雑なボタン操作をせずに質問項目に回答できるため、操作性がよい。
【００４７】
選択されたコースに加える変更が大きい場合であっても、予め設定された許容範囲からはずれた運転態様には設定されず、許容範囲内で最も近い値に設定して運転態様が設定されるため、洗濯運転や乾燥運転に著しい不備が生じない。
使用者が不満を感じる工程のみについて質問項目を表示させ、回答を行うことができるので、変更が必要ないと感じる工程については回答をしなくて済むので、操作性が良い。
【００４８】
（第二の実施形態）
第一の実施形態と異なる点は、運転結果に満足しているかを尋ねる図３に示すような質問１において「２いいえ」と回答された、すなわち運転結果に不満があるとされた場合に、不満に思う工程を尋ねる図４に示す質問２を表示させるのではなく、洗濯乾燥機の運転における各工程について順番に質問を表示させる点にある。
【００４９】
運転終了後、図３にあるように、操作表示部３０に洗濯物の運転結果について使用者が満足したかどうかの質問である質問１を所定時間表示する。この質問１に対して使用者が「１はい」と回答した場合、すなわち運転結果に満足している場合には操作表示部３０の表示を終了し、記憶手段２９ｃに記憶された変更条件を保持する。逆に、質問１に対して使用者が「２いいえ」と回答した場合、すなわち運転結果に不満がある場合には、図９に示すように次の質問項目である質問４を表示する。
【００５０】
質問４としては、洗い運転について、時間を多くかけてもきれいな仕上がりを目指す洗い性能重視か、仕上がりよりも洗い時間を短くすることを重視する時短重視かを質問する。回答画面としては、洗い性能を重視する「１」、やや洗い性能を重視する「２」、現状を維持する「３」、やや時短を重視する「４」、時短を重視する「５」の合計５つの回答ボタンを有する回答画面を表示し、５段階のうち最も使用者の意向に近い番号を選択させる。質問４に対する回答が得られた後、操作表示部３０には図１０に示すように新たな質問項目として質問５を表示する。
【００５１】
質問５としては、すすぎについて、時間をかけても十分なすすぎを行うすすぎ性能重視か、すすぎ回数を減らしてでもすすぎ時間を短くする時短重視かを質問する。回答画面としては、すすぎ性能を重視する「１」、ややすすぎ性能を重視する「２」、現状を維持する「３」、やや時短を重視する「４」、時短を重視する「５」の合計５つの回答ボタンを有する回答画面を表示し、５段階のうち最も使用者の意向に近い番号を選択させる。質問５に対する回答が得られた後、操作表示部３０には図１１に示すように新たな質問項目として質問６を表示する。
【００５２】
質問６としては、脱水について、時間をかけても静かな脱水を行う静音重視か、静音性よりも脱水時間を短くすることを重視する時短重視かを質問する。回答画面としては、静音を重視する「１」、やや静音を重視する「２」、現状を維持する「３」、やや時短を重視する「４」、時短を重視する「５」の合計５つの回答ボタンを有する回答画面を表示し、５段階のうち最も使用者の意向に近い番号を選択させる。質問６に対する回答が得られた後、操作表示部３０には図１２に示すように新たな質問項目として質問７を表示する。
【００５３】
質問７としては、乾燥について、低温で洗濯物の縮みの少ない乾燥を行う縮み低減乾燥か、乾燥時間を短くする時短重視かを質問する。回答画面としては、縮み低減を重視する「１」、縮み低減をやや重視する「２」、現状を維持する「３」、乾燥時間をやや短くする「４」、乾燥時間を短くする「５」の合計５つの回答ボタンを有する回答画面を表示し、５段階のうち最も使用者の意向に近い番号を選択させる。
【００５４】
図１２に示す質問７に対する回答が得られた後、操作表示部３０の表示を終了し、使用者による回答結果に基づき、洗い、すすぎ、脱水、乾燥の各工程について必要な変更を行う。各質問に対するそれぞれの回答について、どのように運転態様を変更するかを示す変更条件は、変更条件決定手段２９ｂにより決定され、その変更条件の具体的な内容は以下の通りである。
【００５５】
図９に示す質問４に対する回答が「１」の場合、使用者が選択した洗濯コースに設定されている洗い時間から洗い時間を２０％増加させ、回答が「２」の場合、洗い時間を１０％増加させる。回答が「３」の場合には、洗い時間の増減はせず、回答が「４」の場合には洗い時間を１０％減少させ、回答が「５」の場合には洗い時間を２０％減少させる。
【００５６】
図１０に示す質問５に対する回答が「１」の場合、使用者が選択した洗濯コースに設定されているすすぎ回数からすすぎ回数を２回増加させ、回答が「２」の場合、すすぎ回数を１回増加させる。回答が「３」の場合には、すすぎ回数の増減はせず、回答が「４」の場合にはすすぎ回数を１回減少させ、回答が「５」の場合にはすすぎ回数を２回減少させる。
【００５７】
図１１に示す質問６に対する回答が「１」の場合、使用者が選択した洗濯コースに設定されている脱水回転数から脱水回転数を２００ｒｐｍ減少させ、且つ、使用者が選択した洗濯コースに設定されている脱水時間から脱水時間を２０％増加させる。回答が「２」の場合、脱水回転数を１００ｒｐｍ減少させ、且つ、脱水時間を１０％増加させる。回答が「３」の場合、脱水回転数と脱水時間は変化させない。回答が「４」の場合には、脱水回転数を１００ｒｐｍ増加させ、且つ、脱水時間を１０％減少させる。回答が「５」の場合には、脱水回転数を２００ｒｐｍ増加させ、且つ、脱水時間を２０％減少させる。
【００５８】
図１２に示す質問７に対する回答が「１」の場合には、使用者が選択した乾燥コースに設定されている乾燥時間から乾燥時間を２０％増加させ、且つ、ヒータ２０ａの出力を２０％減少させる。回答が「２」の場合、乾燥時間を１０％増加させ、且つ、ヒータ２０ａの出力を１０％減少させる。回答が「３」の場合には、乾燥時間とヒータ２０ａの出力に変更は加えず、回答が「４」の場合には、乾燥時間を１０％減少させ、且つ、ヒータ２０ａの出力を１０％増加させる。回答が「５」の場合には乾燥時間を２０％減少させ、且つ、ヒータ２０ａの出力を２０％増加させる。
【００５９】
なお、上述した変更条件はあくまで一例であり、運転結果についての質問の回答に応じた変更条件は適宜変更してもよい。
上述した実施形態によると、洗濯乾燥機の運転の各工程について順を追って質問項目を表示させて回答させるため、変更が不要と考える工程についても使用者への回答を必要とする。このため、全工程について使用者の好みを確認した状態で変更条件を決定することができる。また、洗濯乾燥機の運転についてどのような運転態様に変更が可能であるかを知らない使用者であっても、一連の質問項目に回答することになるので、変更可能な運転態様を知ることができ、使用者の好みにより近い運転が実現できる。
【００６０】
（第三の実施形態）
上述した実施形態と異なる点は、運転終了直後（報知手段３８による報知）から所定時間にわたって質問項目を操作表示部３０上に表示させるのではなく、運転終了後、最初にドア４が開状態になったことを検知したとき、又は開状態から閉状態になったことを検知したときから所定時間にわたって質問項目を表示させる点にある。
【００６１】
運転終了後、使用者は洗濯物を内槽２から取り出すためにドア４を開くことになる。ここで、ドア４の開閉状態を開閉検知手段としてのドアスイッチ３４により検知を行い、運転終了後、最初にドア４が開状態となった場合、又は開状態から閉状態となった場合に、操作表示部３０上に図３に示すような仕上がりに満足しているかどうかを尋ねる質問項目を表示する。なお、第一の実施形態と同様に、質問項目の表示後、使用者による操作のない状態で所定時間が経過した場合には、表示画面から表示が消え、待機状態となる。
【００６２】
上記構成により、運転終了後に使用者が所定時間内に質問項目に回答できない場合であっても、ドア４の開閉動作を行う際には、使用者が洗濯乾燥機の前に確実にいるため、質問項目への回答を行うことができる。また、使用者が洗濯乾燥機の前にいない状態で質問項目を表示してしまうことを防ぎ、消費電力量の無用な増加を防止できる。
【００６３】
（第四の実施形態）
第四の実施形態について図１３を参照して説明する。上述した実施形態と異なる点は、運転終了直後（報知手段３８による報知）から所定時間にわたって質問項目を操作表示部３０上に表示させるのではなく、洗濯物検知手段４０により、運転終了後に最初に内槽２内の洗濯物の量が減少したことを検知したときから所定時間にわたって操作表示部３０上に図３に示すような仕上がりに満足しているかどうかを尋ねる質問項目を表示させる点にある。
【００６４】
内槽２内の洗濯物の量を検知する洗濯物検知手段４０（例えば重量センサ）を備え、運転終了後において、洗濯物検知手段４０による検知により最初に内槽２内の洗濯物の量が減少した場合に、操作表示部３０上に運転結果についての質問項目を表示する。なお、第一の実施形態と同様に、質問項目の表示後、使用者による操作のない状態で所定時間が経過した場合には、操作表示部３０から表示が消え、待機状態となる。
【００６５】
ここで、洗濯物検知手段４０としては、サスペンション７が洗濯物の重量により沈み込む変位を検知する変位センサや、外槽２の前傾する角度の変化を検知する加速度センサを用いてもよく、内槽１２内の画像を撮影する撮影手段を備え、撮影された内槽１２内の画像から洗濯物の有無を判断してもよい。
【００６６】
上記構成により、使用者が実際に内槽２内の洗濯物を取り出したときに質問項目が表示されるため、仕上がりの状態を確認した上で速やかに質問項目に回答することができる。
また、使用者が洗濯物の取り出しのために洗濯乾燥機の前にいる状態で質問項目を表示することができるため、使用者が洗濯乾燥機の前にいない状態で質問項目を表示してしまうことを防ぎ、消費電力量の無用な増加を防止できる。
【００６７】
以上説明した少なくとも一つの実施形態によれば、運転終了後に、運転結果についての質問項目を操作表示部３０に表示することで、使用者が洗濯直後の洗濯物の仕上がりを確認しながら、質問項目に回答することができるため、より使用者の好みに応じた運転態様の設定を行うことができる。
【００６８】
なお、本実施形態では洗濯工程と乾燥工程の両工程を連続して運転する場合について説明を行ったが、洗濯工程のみ、又は乾燥工程のみについて運転をした場合であっても適用可能である。
また、本実施形態は洗濯乾燥機について説明を行ったが、洗濯乾燥機に限られず、乾燥機能がない洗濯機についても適用可能である。
【００６９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１は外箱、２外槽、３は洗濯物出入口、４はドア、８は貯水部、９は排水弁、１２は内槽、１４はバッフル、１５は通孔、１６はモータ、１７は温風供給装置、１８は除湿機、１９は送風機、２０は加熱器、２１、２２はダクト、２３は注水弁、２４は注水チューブ、２５は散水器、２６は回転センサ、２７は注水ケース、２８は給水ポンプ、２９は制御装置、２９ａはコース選択手段、２９ｂは変更条件決定手段、２９ｃは記憶手段、２９ｄは運転態様設定部、３０は操作表示部（表示画面）、３１は操作スイッチ、３３は水位センサ、３４はドアスイッチ（開閉検知手段）、３６はドアロック装置、３７は駆動回路、３８は報知手段、４０は洗濯物検知手段を示す。
【図１】
2014158606.tif 000003
【図２】
2014158606.tif 000004
【図３】
2014158606.tif 000005
【図４】
2014158606.tif 000006
【図５】
2014158606.tif 000007
【図６】
2014158606.tif 000008
【図７】
2014158606.tif 000009
【図８】
2014158606.tif 000010
【図９】
2014158606.tif 000011
【図１０】
2014158606.tif 000012
【図１１】
2014158606.tif 000013
【図１２】
2014158606.tif 000014
【図１３】
2014158606.tif 000015